(57)【要約】  本開示は、ワイヤレスネットワークにおけるセル間干渉協調(ICIC)機構をトリガするための方法および装置を提示する。たとえば、本開示は、パイロットポリューションメトリックを識別し、パイロットポリューションメトリックに少なくとも基づくパイロットポリューション条件が満たされたときを判断するための方法を提示する。さらに、そのような例示的な方法は、パイロットポリューション条件が満たされたときにICIC機構をトリガするステップを含むことができる。このようにして、ワイヤレスネットワークにおけるICIC機構をトリガするステップが実現され得る。
2016509817.tif 000002
【特許請求の範囲】
【請求項１】
ワイヤレスネットワークにおけるセル間干渉協調(ICIC)機構をトリガする方法であって、
パイロットポリューションメトリックを識別するステップと、
前記パイロットポリューションメトリックに少なくとも基づくパイロットポリューション条件が満たされたときを判断するステップと、
前記パイロットポリューション条件が満たされたときにICIC機構をトリガするステップと
を含む方法。
【請求項２】
前記パイロットポリューションメトリックは、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択される、請求項1に記載の方法。
【請求項３】
前記ポリューションメトリックの前記識別するステップは、ユーザ機器(UE)またはセルにおいて実行される、請求項1に記載の方法。
【請求項４】
前記パイロットポリューション条件が満たされたときを前記判断するステップは、前記パイロットポリューションメトリックの値をしきい値と比較するステップを含む、請求項1に記載の方法。
【請求項５】
前記しきい値は、ネットワークレベル、クラスタレベルまたはセルレベルで設定され得る、請求項4に記載の方法。
【請求項６】
前記ICIC機構の前記トリガするステップは、集中的または分散的に実行される、請求項1に記載の方法。
【請求項７】
前記ICIC機構の前記トリガするステップは、周波数領域または時間領域で実行される、請求項1に記載の方法。
【請求項８】
前記周波数領域でトリガされる前記ICIC機構は、部分周波数再利用(FFR)またはソフトFFR手順を実行するステップを含む、請求項7に記載の方法。
【請求項９】
ネットワークにおけるセル間干渉協調(ICIC)機構をトリガするための装置であって、
パイロットポリューションメトリックを識別するための手段と、
前記パイロットポリューションメトリックに少なくとも基づくパイロットポリューション条件が満たされたときを判断するための手段と、
前記パイロットポリューション条件が満たされたときにICIC機構をトリガするための手段と
を含む装置。
【請求項１０】
前記パイロットポリューションメトリックを識別するための前記手段は、前記パイロットポリューションメトリックを、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択するための手段をさらに含む、請求項9に記載の装置。
【請求項１１】
前記ポリューションメトリックの識別するための前記手段は、ユーザ機器(UE)またはセルにおいて前記識別することを実行するための手段をさらに含む、請求項9に記載の装置。
【請求項１２】
前記パイロットポリューション条件が満たされたときを判断するための前記手段は、前記パイロットポリューションメトリックの値をしきい値と比較するための手段をさらに含む、請求項9に記載の装置。
【請求項１３】
比較するための前記手段は、ネットワークレベル、クラスタレベルまたはセルレベルで前記しきい値を設定するための手段をさらに含む、請求項12に記載の装置。
【請求項１４】
前記ICIC機構のトリガするための手段は、集中的または分散的にトリガするための手段をさらに含む、請求項9に記載の装置。
【請求項１５】
前記ICIC機構のトリガするための手段は、周波数領域または時間領域でトリガするための手段をさらに含む、請求項9に記載の装置。
【請求項１６】
前記周波数領域でトリガするための前記手段は、部分周波数再利用(FFR)またはソフトFFR手順を実行するための手段をさらに含む、請求項15に記載の装置。
【請求項１７】
ネットワークにおけるセル間干渉協調(ICIC)機構をトリガするためのコンピュータプログラム製品であって、コンピュータ可読媒体を備え、前記コンピュータ可読媒体が、
パイロットポリューションメトリックを識別し、
前記パイロットポリューションメトリックに少なくとも基づくパイロットポリューション条件が満たされたときを判断し、
前記パイロットポリューション条件が満たされたときにICIC機構をトリガする
ためのコンピュータによって実行可能なコードを備える、コンピュータプログラム製品。
【請求項１８】
識別するための前記コードは、前記パイロットポリューションメトリックを、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択するためのコードをさらに含む、請求項17に記載のコンピュータプログラム製品。
【請求項１９】
識別するための前記コードは、ユーザ機器(UE)またはセルにおいて前記ポリューションメトリックを識別するためのコードをさらに含む、請求項17に記載のコンピュータプログラム製品。
【請求項２０】
判断するための前記コードは、前記パイロットポリューションメトリックの値をしきい値と比較するためのコードをさらに含む、請求項17に記載のコンピュータプログラム製品。
【請求項２１】
比較するための前記コードは、ネットワークレベル、クラスタレベルまたはセルレベルで前記しきい値を設定するためのコードをさらに含む、請求項20に記載のコンピュータプログラム製品。
【請求項２２】
トリガするための前記コードは、集中的または分散的にトリガするためのコードをさらに含む、請求項17に記載のコンピュータプログラム製品。
【請求項２３】
トリガするための前記コードは、周波数領域または時間領域でトリガするためのコードをさらに含む、請求項17に記載のコンピュータプログラム製品。
【請求項２４】
前記周波数領域でトリガするための前記コードは、部分周波数再利用(FFR)またはソフトFFR手順を実行するためのコードをさらに含む、請求項23に記載のコンピュータプログラム製品。
【請求項２５】
セル間干渉協調(ICIC)機構をトリガするための装置であって、
パイロットポリューションメトリックを識別するためのパイロットポリューションメトリック識別要素と、
前記パイロットポリューションメトリックに少なくとも基づくパイロットポリューション条件が満たされたときを判断するためのパイロットポリューション条件判断要素と、
前記パイロットポリューション条件が満たされたときにICIC機構をトリガするためのICICトリガと
を含む装置。
【請求項２６】
前記パイロットポリューションメトリック識別要素は、前記パイロットポリューションメトリックを、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択するようにさらに構成される、請求項25に記載の装置。
【請求項２７】
前記パイロットポリューションメトリック識別要素は、ユーザ機器(UE)またはセルにおいて前記パイロットポリューションメトリックを識別するようにさらに構成される、請求項25に記載の装置。
【請求項２８】
前記パイロットポリューション条件判断要素は、前記パイロットポリューションメトリックの値をしきい値と比較するようにさらに構成される、請求項25に記載の装置。
【請求項２９】
前記パイロットポリューション条件判断要素は、ネットワークレベル、クラスタレベルまたはセルレベルで前記しきい値を設定するようにさらに構成される、請求項28に記載の装置。
【請求項３０】
ICICトリガは、集中的または分散的に前記ICIC機構をトリガするようにさらに構成される、請求項25に記載の装置。
【請求項３１】
ICICトリガは、周波数領域または時間領域で前記ICIC機構をトリガするようにさらに構成される、請求項25に記載の装置。
【請求項３２】
前記周波数領域で前記ICIC機構をトリガするように構成された前記ICICトリガは、部分周波数再利用(FFR)またはソフトFFR手順を実行するようにさらに構成される、請求項31に記載の装置。
【発明の詳細な説明】
【技術分野】
【０００１】
米国特許法第119条に基づく優先権の主張
本特許出願は、本出願の譲受人に譲渡され、参照により本明細書に明確に組み込まれる、2013年2月7日に出願された「Apparatus and Method for Inter Cell Interference Coordination」と題する米国仮特許出願第61/762,250号の優先権を主張する。
【０００２】
本開示は全般に通信システムに関し、より詳細には、セル間干渉協調に関する。
【背景技術】
【０００３】
電話、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって、複数のユーザとの通信をサポートすることが可能な多元接続技術を利用することができる。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、様々なワイヤレスデバイスが自治体、国家、地域、さらには地球規模で通信することを可能にする共通プロトコルを提供するために、様々な電気通信規格において採用されている。新興の電気通信規格の一例は、Long Term Evolution(LTE)である。LTEは、第3世代パートナーシッププロジェクト(3GPP)によって公表されたUniversal Mobile Telecommunications System(UMTS)のモバイル規格に対する拡張セットである。LTEは、スペクトル効率を改善することによってモバイルブロードバンドインターネットアクセスをより良くサポートすること、コストを下げること、サービスを改善すること、新しいスペクトルを利用すること、ならびに、ダウンリンク(DL)上のOFDMA、アップリンク(UL)上のSC-FDMA、および多入力多出力(MIMO)アンテナ技術を使用して、他のオープン規格とより良く統合することを行うように設計されている。しかしながら、モバイルブロードバンドアクセスに対する需要が増加し続けるのに伴い、LTE技術のさらなる改善が必要である。好ましくは、これらの改善は、他の多元接続技術、およびこれらの技術を利用する電気通信規格に適用可能であるべきである。
【０００５】
大量の小規模セルが配備されたネットワークまたはエリアでは、ユーザ機器(UE)または移動局は、同様のパイロット信号レベルを有する多くの小規模セルおよび/またはマクロセルに直面し得る。これは、一般にパイロットポリューションと呼ばれる、近隣セルのパイロットからの干渉に起因するネットワークパフォーマンスの低下につながり得る。パイロットポリューションは、部分周波数再利用(FFR)手順などのセル間干渉協調(ICIC)機構を使用することによって、低減または軽減され得るが、ICIC機構のトリガは必ずしも、パイロットポリューションを考慮するとは限らない。たとえば、ICICは、基準信号受信電力(RSRP)測定値または基準信号受信品質(RSRQ)測定値またはチャネル品質インジケータ(CQI)測定値のうちの1つに基づいてトリガされ得る。しかしながら、RSRP測定値、RSRQ測定値またはCQI測定値に基づくICICトリガは、RSRP測定値がパイロットポリューションの良いインジケータではなく、RSRQ測定値またはCQI測定値が雑音制限シナリオと干渉制限シナリオとを区別しないので、パイロットポリューションに関連する問題に真に対処するものではない。
【発明の概要】
【発明が解決しようとする課題】
【０００６】
したがって、パイロットポリューションに基づいてICIC機構をトリガするための方法および装置が望まれる。
【課題を解決するための手段】
【０００７】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００８】
本開示は、ワイヤレスネットワークにおけるセル間干渉協調(ICIC)機構をトリガするための例示的な方法および装置を提示する。たとえば、本開示は、パイロットポリューションメトリックを識別するステップと、パイロットポリューションメトリックに少なくとも基づくパイロットポリューション条件が満たされたときを判断するステップとを含むICIC機構をトリガするための例示的な方法を提示する。さらに、そのような方法は、パイロットポリューション条件が満たされたときにICIC機構をトリガするステップを含むことができる。
【０００９】
追加の態様では、本開示は、パイロットポリューションメトリックを識別するための手段と、パイロットポリューションメトリックに少なくとも基づくパイロットポリューション条件が満たされたときを判断するための手段とを含み得る、ワイヤレスネットワークにおけるセル間干渉協調(ICIC)機構をトリガするための例示的な装置を提示する。さらに、そのような装置は、パイロットポリューション条件が満たされたときにICIC機構をトリガするための手段を含むことができる。
【００１０】
その上、本開示は、パイロットポリューションメトリックを識別し、パイロットポリューションメトリックに少なくとも基づくパイロットポリューション条件が満たされたときを判断するためのコンピュータによって実行可能なコードを備えるコンピュータ可読媒体を備える、ネットワークにおけるセル間干渉協調(ICIC)機構をトリガするための例示的なコンピュータプログラム製品を提示する。さらに、そのようなコンピュータプログラム製品は、パイロットポリューション条件が満たされたときにICIC機構をトリガするためのコードを含むことができる。
【００１１】
さらなる態様では、本開示は、パイロットポリューションメトリックを識別するためのパイロットポリューションメトリック識別要素と、パイロットポリューションメトリックに少なくとも基づくパイロットポリューション条件が満たされたときを判断するためのパイロットポリューション条件判断要素とを含み得る、ワイヤレスネットワークにおけるセル間干渉協調(ICIC)機構をトリガするための例示的な装置を提示する。さらに、そのような装置は、パイロットポリューション条件が満たされたときにICIC機構をトリガするためのICICトリガを含むことができる。
【００１２】
上記の目的および関連の目的の達成のために、1つまたは複数の態様は、以下で十分に説明され特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１３】
【図１】セル間干渉協調の一態様を含むネットワークアーキテクチャの概略図である。
【図２】セル間干渉協調をトリガする一態様のフローチャートである。
【図３】本開示によって企図される電気的構成要素の論理グルーピングの態様を示すブロック図である。
【図４】本開示によるコンピュータデバイスの態様を示すブロック図である。
【図５】処理システムを使用する装置のハードウェア実装の一例を示すブロック図である。
【図６】電気通信システムの一例を概念的に示すブロック図である。
【図７】アクセスネットワークの一例を示す概念図である。
【図８】電気通信システムにおいてUEと通信しているNodeBの一例を概念的に示すブロック図である。
【発明を実施するための形態】
【００１４】
添付の図面に関する下記の詳細な説明は、様々な構成の説明として意図されており、本明細書で説明する概念が実行され得る唯一の構成を表すように意図されているわけではない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１５】
本開示は、パイロットポリューションメトリックを識別するステップと、パイロットポリューションメトリックに少なくとも基づくパイロットポリューション条件が満たされたときを判断するステップと、パイロットポリューション条件が満たされたときにICIC機構をトリガするステップとを含み得る、ワイヤレスネットワークにおけるセル間干渉協調(ICIC)機構をトリガする装置および方法を提供する。
【００１６】
図1を参照すると、セル間干渉協調(ICIC)機構をトリガするためのワイヤレスシステム100が示されている。一態様では、システム100は、1つまたは複数のユーザ機器(UE)110ならびに1つまたは複数のセル120、130および/または140を含み、この場合に、セル120はUE110のサービングセルであってよい、すなわち、UE110はセル120にキャンプオンしている。本明細書で使用するセルは、カバレージエリアで動作する基地局を含むことができ、セルは、UE110と通信することができる小規模カバレージセルまたはマクロセルであり得る。セル120、130、および140は、NodeB、発展型NodeB、フェムトセル、マクロセルまたはアクセスポイントと呼ばれることもある。フェムトセルまたはピコセルとも呼ばれる小規模カバレージセルまたは小規模セルは、マクロセルと比べて、比較的小さい地理的エリア(たとえば、自宅またはオフィス)をカバーすることができ、フェムトセルとの関連を有する端末(たとえば、自宅またはオフィスにいる人に属する端末)の通信をサポートすることができる。また、UE110は端末、移動局(MS)、アクセス端末(AT)、加入者ユニットなどと呼ばれ得る。
【００１７】
一態様では、実線122は、サービングセル120からUE110へのパイロット信号または共通基準信号(CRS)の送信を示している。サービングセルは、ダウンリンクおよび/またはアップリンク上でUEにサービスする。ただし、簡単にするために、図1にはアップリンク送信は示されていない。破線132および/または142は、近隣セルからUE110へのパイロット信号またはCRS信号の送信を示している。
【００１８】
ワイヤレスネットワーク100では、セル120、130、および/または140は、1つまたは複数の共通パイロット信号またはCRS信号を周期的に送信することができる。これらの信号は、異なる目的に使用されてよく、異なる名前で呼ばれ得る。たとえば、共通パイロット信号は、チャネル推定、チャネル品質測定、または信号強度測定などに使用され得る。
【００１９】
一態様では、端末110がセル120、130、および/または140のカバレージエリア内で移動するのに伴って、UE110におけるセル120、130、および/または140からのパイロット信号の相対強度は、これらのセルの各々に対するUE110の近接性に応じて変化し得る。さらに、他の無線周波数(RF)の変動がパイロット信号の測定強度に影響を与えることもある。一態様では、たとえば、パイロットポリューションは、サービングセル120からのパイロット信号と同様の、またはそれを上回る受信強度をUE110において有する最寄りのセル、たとえばセル130および/または140からのパイロット信号によって引き起こされ得る。
【００２０】
一態様では、システム100は、ワイヤレスネットワークにおけるセル間干渉協調(ICIC)機構をトリガするように構成されたICICマネージャ150を含む。たとえば、一態様では、ICICマネージャ150は、パイロットポリューションメトリック識別要素160およびパイロットポリューション条件判断要素170を含むように構成され得る。追加の態様では、たとえば、ICICマネージャ150は、ICICトリガ181およびICIC機構セレクタを含むように構成され得るICICコントローラ180を含むようにさらに構成され得る。
【００２１】
一態様では、パイロットポリューションメトリック識別要素160は、ワイヤレスネットワーク100におけるパイロットポリューションを識別するために使用され得るメトリックを判断するように構成され得る。たとえば、識別されるメトリックは、以下、たとえば、所定の範囲内、たとえばサービング(もしくは最強)セルパイロット電力レベルの「X」dB内にあるパイロットもしくは共通基準信号(CRS)の数、基準信号受信電力(RSRP)測定値と基準信号受信品質(RSRQ)測定値との組合せ、および/またはRSRP測定値と干渉(Io)測定値との組合せ、およびRSRQとIoとの組合せのうちの1つまたは複数を含み得る。追加の態様では、チャネル品質インジケータ(CQI)測定値がパイロットポリューションメトリックとして識別され得る。
【００２２】
一態様では、上述したメトリックのいずれか1つまたは任意の組合せが、ワイヤレスネットワーク100におけるパイロットポリューションを検出するために使用され得る。追加の態様では、パイロットポリューションメトリック識別要素160は、たとえば、UE110において、かつ/またはセル120、130および/もしくは140のうちの1つもしくは複数において収集された測定値を受信することによって、識別されたメトリックの値を測定することもできる。1つの例示的な態様では、セル120、130および/または140のネットワークリッスンモジュールが、ICICマネージャ150がそれぞれのセル内に位置するときに、それぞれのセルに関する識別されたメトリックの値を測定することができる。
【００２３】
一態様では、パイロットポリューション条件判断要素170は、パイロットポリューションメトリックに基づくパイロットポリューション条件が満たされたときを判断するように構成され得る。たとえば、一態様では、パイロットポリューション条件判断要素170は、識別されたパイロットポリューションメトリックのうちの1つまたは複数の値を、メトリックの対応するしきい値と比較することができる。追加の態様では、パイロットポリューションメトリックに関するしきい値はネットワークにおいて、ネットワークレベルまたはクラスタレベルまたはセルレベルのいずれかで事前設定され得る。これはネットワーク事業者に、ネットワークおよび/またはUEのパフォーマンスを改善するために地理的エリアにおけるセルの密度に基づいてしきい値を設定する柔軟性を提供する。
【００２４】
たとえば、パイロットポリューション条件判断要素170は、サービングセルの「X」dB内にあるパイロットの数が、識別されたパイロットポリューションメトリックに関する「N」のしきい値を上回るかどうかを判断することができる。「N」の値が2に設定されている場合、かつサービングセルの「X」dB内に3つのパイロット信号がある場合、条件が満たされていると見なされる、すなわち、UE110は干渉制限されていると見なされ得る、すなわち、パイロットポリューションシナリオが存在する。1つの例示的な態様では、XおよびNの値は、システム100の事業者によってセットされた値であり得る。別の追加の態様では、たとえば、RSRP>YかつRSRQ<Zのときに、パイロットポリューション条件は満たされていると見なされることがあり、この場合に「Y」および「Z」は、それぞれのメトリックに関するしきい値であり得る。さらなる例では、RSRP>VかつIo>V'の場合に、UE110は干渉制限されていると判断されることがあり、このVは対応するメトリックに関するしきい値である。
【００２５】
言い換えれば、パイロットポリューション条件判断要素170は、判断されたメトリックが1つまたは複数のパイロットポリューション条件を満たしているかどうかを評価し、これは、1つまたは複数のメトリック値を対応するしきい値と比較することを含むことができ、1つまたは複数のパイロットポリューション条件は、パイロットポリューションなどの干渉制限シナリオを、または雑音制限シナリオもしくは熱制限シナリオなどの他の制限シナリオを区別するように構成される。
【００２６】
さらに、一態様では、たとえば、パイロットポリューション条件判断要素170は、複数の比較テストをパイロットポリューションメトリックに適用し、これらのテストの全体的な結果に基づいてパイロットポリューションシナリオを識別する決定を行うように構成され得る。たとえば、パイロットポリューション条件判断要素170は、テストのうちのいずれか1つまたは複数が満たされている場合、UE110が干渉制限されている、またはパイロットポリューション条件が満たされていると判断することができる。これらのテストは、異なるしきい値セットに対応し得る。この演算方法により、多次元的手法をICIC機構のトリガに使用することが可能になる。
【００２７】
一態様では、ICICコントローラ180は、ICICトリガ181およびICIC機構セレクタ182を含むように構成され得る。たとえば、パイロットポリューションメトリックが満たされているとパイロットポリューション条件判断要素170が判断すると、ICIC機構をトリガし、ICIC機構を選択するよう求めるメッセージをICIC機構セレクタ182に送るように構成され得るICICトリガ181を含むように、ICICコントローラは構成され得る。たとえば、識別されたパイロットポリューションメトリックがそれぞれのメトリックのしきい値を上回るとパイロットポリューション条件判断要素170が判断すると、ICICコントローラ180は、パイロットポリューションを軽減するためにICIC機構を選択するよう求めるメッセージをICIC機構セレクタ182に送るためのICICトリガ181を生成する。1つの例示的な態様では、選択されるICIC機構は、周波数領域または時間領域にあってよく、周波数領域では、部分周波数再利用(FFR)またはソフトFFR手順を実行することを含み得る。追加の態様では、たとえば、ICICマネージャ150は、分散的にセル120、130、および/もしくは140のうちの1つもしくは複数に、または集中的に、たとえばセル120、130、もしくは140のうちの1つに存在するように構成され得る。
【００２８】
したがって、本方法および装置によれば、ICICマネージャ150は、セル間干渉を低減および/または軽減するためにワイヤレスネットワーク100におけるICIC機構をトリガすることができる。
【００２９】
図2は、ワイヤレスネットワークにおけるセル間干渉協調をトリガするための例示的な方法200を示している。
【００３０】
一態様では、ブロック202において、方法200は、パイロットポリューションメトリックを識別するステップを含むことができる。たとえば、一態様では、ICICマネージャ150および/またはパイロットポリューションメトリック識別要素160は、パイロットポリューションメトリックを識別するように構成され得る。追加の態様では、パイロットポリューションメトリックは、セル120、130、および/もしくは140ならびに/またはUE110によって測定または収集され得る。
【００３１】
さらに、ブロック204において、方法200は、パイロットポリューションメトリックに少なくとも基づくパイロットポリューション条件が満たされたときを判断するステップを含むことができる。たとえば、一態様では、ICICマネージャ150および/またはパイロットポリューション条件判断要素170は、パイロットポリューションメトリックに少なくとも基づくパイロットポリューションが満たされているかどうかを判断するように構成され得る。たとえば、パイロットポリューション条件判断要素170は、パイロットポリューションメトリックの値をそれぞれのしきい値と比較して、条件が満たされたときを判断することができる。
【００３２】
さらに、ブロック206において、方法200は、パイロットポリューション条件が満たされたときにICIC機構をトリガするステップを含むことができる。たとえば、一態様では、ICICマネージャ150および/またはICICコントローラ180および/またはICICトリガ181および/またはICIC機構セレクタ182は、パイロットポリューション条件が満たされたときにICIC機構をトリガおよび/または選択するように構成され得る。
【００３３】
図3を参照すると、ワイヤレスネットワークにおけるセル間干渉協調(ICIC)機構をトリガするための例示的なシステム300が表示されている。たとえば、システム300は、基地局、たとえば、セル120、130、および/または140(図1)の中に少なくとも部分的に存在し得る。システム300は、プロセッサ、ソフトウェア、またはそれらの組合せ(たとえば、ファームウェア)によって実施される機能を表す機能ブロックであり得る、機能ブロックを含むものとして表されていることを諒解されたい。システム300は、連携して動作することができる電気的構成要素の論理グルーピング302を含む。たとえば、論理グルーピング302は、パイロットポリューションメトリックを識別するための電気的構成要素304を含むことができる。一態様では、電気的構成要素304は、ICICマネージャ150および/またはパイロットポリューションメトリック識別要素160(図1)を含むことができる。
【００３４】
さらに、論理グルーピング302は、パイロットポリューションメトリックに少なくとも基づくパイロットポリューション条件が満たされたときを判断するための電気的構成要素306を含むことができる。一態様では、電気的構成要素306は、ICICマネージャ150および/またはパイロットポリューション条件判断要素170(図1)を含むことができる。
【００３５】
さらに、論理グルーピング302は、パイロットポリューション条件が満たされたときにICIC機構をトリガするための電気的構成要素308を含むことができる。一態様では、電気的構成要素308は、パイロットポリューション条件が満たされたときにICIC機構をトリガするためのICICマネージャ150および/またはICICコントローラ180を含むことができる。追加の態様では、電気的構成要素308は、ICICトリガ181および/またはICIC機構セレクタ182を含むことができる。
【００３６】
さらに、システム300は、電気的構成要素304、306、および308に関連付けられた機能を実行するための命令を保持すること、電気的構成要素304、306、および308によって使用または取得されるデータを記憶することなどを行うメモリ310を含むことができる。電気的構成要素304、306、および308は、メモリ310の外部にあるものとして示されているが、これらの電気的構成要素のうちの1つまたは複数は、メモリ310内に存在し得ることを理解されたい。一例では、電気的構成要素304、306、および308は、少なくとも1つのプロセッサを含むことができ、または各電気的構成要素304、306、および308は、少なくとも1つのプロセッサの対応するモジュールとすることができる。さらに、追加または代替の例では、電気的構成要素304、306、および308は、コンピュータ可読媒体を含むコンピュータプログラム製品とすることができ、各電気的構成要素304、306、および308は、対応するコードとすることができる。
【００３７】
図4を参照すると、一態様では、ICICマネージャ150を含む基地局120、130、および/もしくは140、ならびに/またはUE110(図1)のいずれかは、特別にプログラムまたは構成されたコンピュータデバイス400によって表され得る。実装形態の一態様では、コンピュータデバイス400は、たとえば、特別にプログラムされたコンピュータ可読命令もしくはコード、ファームウェア、ハードウェア、またはそれらの何らかの組合せにおいて、パイロットポリューションメトリック識別要素160および/またはパイロットポリューション条件判断要素170および/またはICICコントローラ180(図1)を含むように構成され得るICICマネージャ150を含むことができる。コンピュータデバイス400は、本明細書で説明する構成要素および機能のうちの1つまたは複数に関連する処理機能を実行するための、プロセッサ402を含む。プロセッサ402は、プロセッサまたはマルチコアプロセッサの単一のセットまたは複数のセットを含み得る。その上、プロセッサ402は、統合処理システムおよび/または分散処理システムとして実装されてもよい。
【００３８】
コンピュータデバイス400は、プロセッサ402によって実行されているアプリケーションの本明細書で使用されるデータおよび/またはローカルバージョンを記憶するなどのためのメモリ404をさらに含む。メモリ404は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００３９】
さらに、コンピュータデバイス400は、本明細書で説明するように、ハードウェア、ソフトウェア、およびサービスを利用して、1つまたは複数の相手との通信を確立し維持することを可能にする、通信構成要素406を含む。通信構成要素406は、コンピュータデバイス400上の構成要素間の通信、ならびに、コンピュータデバイス400と、通信ネットワーク上に位置するデバイス、および/またはコンピュータデバイス400に直列またはローカルに接続されたデバイスなどの外部デバイスとの間の通信を、伝え得る。たとえば、通信構成要素406は、1つまたは複数のバスを含んでもよく、外部デバイスとのインターフェースをとるように動作可能な、送信機および受信機にそれぞれ関連付けられる送信チェーン構成要素および受信チェーン構成要素、またはトランシーバをさらに含んでもよい。追加の態様では、通信構成要素406は、1つまたは複数の加入者ネットワークから1つまたは複数のページを受信するように構成され得る。さらなる態様では、そのようなページは、第2の加入に対応することができ、第1の技術タイプの通信サービスを介して受信され得る。
【００４０】
さらに、コンピュータデバイス400は、データ記憶装置408をさらに含んでよく、データ記憶装置408は、本明細書で説明する態様に関連して利用される情報、データベース、およびプログラムの大容量記憶を実現する、ハードウェアおよび/またはソフトウェアの任意の適切な組合せであり得る。たとえば、データ記憶装置408は、プロセッサ402によって現在実行されていないアプリケーションおよび/または任意のしきい値もしくは指位置値のためのデータリポジトリであり得る。
【００４１】
コンピュータデバイス400は、さらに、コンピュータデバイス400のユーザから入力を受け取るように動作可能で、ユーザへの提示のための出力を生成するようにさらに動作可能な、ユーザインターフェース構成要素410を含み得る。ユーザインターフェース構成要素410は、限定はしないが、キーボード、ナンバーパッド、マウス、タッチ感知式ディスプレイ、ナビゲーションキー、ファンクションキー、マイクロフォン、音声認識構成要素、ユーザからの入力を受け取ることが可能な任意の他の機構、またはそれらの任意の組合せを含む、1つまたは複数の入力デバイスを含み得る。さらに、ユーザインターフェース構成要素410は、限定はしないが、ディスプレイ、スピーカー、触覚フィードバック機構、プリンタ、ユーザに出力を提示することが可能な任意の他の機構、またはそれらの任意の組合せを含む1つまたは複数の出力デバイスを含み得る。
【００４２】
図5は、たとえば、共同電力およびリソース管理のための方法など、本開示の態様を実行するための処理システム514を使用する、図1のパイロットポリューションメトリック識別要素160および/またはパイロットポリューション条件判断要素170および/またはICICコントローラ180を含むように構成され得るICICマネージャ150を含む、装置500のハードウェア実装の一例を示すブロック図である。この例では、処理システム514は、バス502によって全般的に表されるバスアーキテクチャで実装され得る。バス502は、処理システム514の具体的な用途および全体的な設計制約に応じて、任意の数の相互接続するバスおよびブリッジを含み得る。バス502は、プロセッサ504によって全般的に表される1つまたは複数のプロセッサ、コンピュータ可読媒体506によって全般的に表されるコンピュータ可読媒体、ならびに限定はしないが、ICICマネージャ150および/またはパイロットポリューションメトリック識別要素160および/またはパイロットポリューション条件判断要素170および/またはICICコントローラ180(図1)など、本明細書で説明する1つまたは複数の構成要素を含む、様々な回路を互いにリンクさせる。バス502は、タイミングソース、周辺機器、電圧調整器、および電力管理回路など、様々な他の回路をリンクさせることもでき、これらの回路は当技術分野でよく知られており、したがって、これ以上は説明しない。バスインターフェース508は、バス502とトランシーバ510との間にインターフェースを提供する。トランシーバ510は、送信媒体上の様々な他の装置と通信するための手段を提供する。また、装置の性質に応じて、ユーザインターフェース512(たとえば、キーパッド、ディスプレイ、スピーカー、マイクロフォン、ジョイスティックなど)が設けられてもよい。
【００４３】
プロセッサ504は、バス502の管理、およびコンピュータ可読媒体506上に記憶されたソフトウェアの実行を含む全般的な処理を受け持つ。ソフトウェアは、プロセッサ504によって実行されると、任意の特定の装置の以下で説明される様々な機能を処理システム514に実行させる。コンピュータ可読媒体506は、ソフトウェアを実行するときにプロセッサ504によって操作されるデータを記憶するために使用されてもよい。
【００４４】
図6は、ワイヤレス通信システム100(図1)の様々な装置を使用するLong Term Evolution(LTE)ネットワークアーキテクチャ600を示す図であり、ICICマネージャ150(図1)を含むように構成された1つまたは複数の基地局を含むことができる。LTEネットワークアーキテクチャ600は、発展型パケットシステム(EPS)600と呼ばれることがある。EPS600は、1つまたは複数のユーザ機器(UE)602、発展型UMTS Terrestrial Radio Access Network(E-UTRAN)604、発展型パケットコア(EPC)660、ホーム加入者サーバ(HSS)620、および事業者のIPサービス622を含み得る。EPSは、他のアクセスネットワークと相互接続することができるが、簡単にするために、それらのエンティティ/インターフェースは図示されていない。図示のように、EPSはパケット交換サービスを提供するが、当業者が容易に諒解するように、本開示の全体を通して提示される様々な概念は、回線交換サービスを提供するネットワークに拡張され得る。
【００４５】
E-UTRANは、発展型NodeB(eNB)606および他のeNB608を含む。eNB606は、UE602に対してユーザプレーンプロトコル終端と制御プレーンプロトコル終端とを与える。eNB606は、X2インターフェース(すなわち、バックホール)を介して他のeNB608に接続され得る。eNB606は、当業者によって、基地局、送受信基地局、無線基地局、無線トランシーバ、トランシーバ機能、基本サービスセット(BSS)、拡張サービスセット(ESS)、または何らかの他の適切な用語で呼ばれることもある。eNB606は、UE602にEPC660へのアクセスポイントを与える。UE602の例には、携帯電話、スマートフォン、セッション開始プロトコル(SIP)電話、ラップトップ、携帯情報端末(PDA)、衛星ラジオ、全地球測位システム、マルチメディアデバイス、ビデオ装置、デジタルオーディオプレーヤ(たとえば、MP3プレーヤなど)、カメラ、ゲーム機、または任意の他の類似の機能デバイスなどがある。UE602は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれることもある。
【００４６】
eNB606は、S1インターフェースによってEPC660に接続される。EPC660は、モビリティ管理エンティティ(MME)662、他のMME664、サービングゲートウェイ666、およびパケットデータネットワーク(PDN)ゲートウェイ668を含む。MME662は、UE602とEPC660との間のシグナリングを処理する制御ノードである。一般に、MME662は、ベアラおよび接続の管理を行う。すべてのユーザIPパケットは、サービングゲートウェイ666を通じて転送され、サービングゲートウェイ666自体は、PDNゲートウェイ668に接続される。PDNゲートウェイ668は、UEのIPアドレス割振りならびに他の機能を実現する。PDNゲートウェイ668は、事業者のIPサービス622に接続される。事業者のIPサービス622は、インターネット、イントラネット、IPマルチメディアサブシステム(IMS)、およびPSストリーミングサービス(PSS)を含む。
【００４７】
図7を参照すると、UTRANアーキテクチャのアクセスネットワーク700が示されており、これは、パイロットポリューションメトリック識別要素160および/またはパイロットポリューション条件判断要素170および/またはICICコントローラ180(図1)を含むように構成され得るICICマネージャ150を含むように構成された1つまたは複数の基地局を含むことができる。多元接続ワイヤレス通信システムは、セル702、704、および706を含む複数のセルラー領域(セル)を含み、セルの各々は、1つまたは複数のセクタを含み得る。複数のセクタはアンテナのグループによって形成されてよく、各々のアンテナがセルの一部にあるUEとの通信を担う。たとえば、セル702において、アンテナグループ712、714、および716は、各々異なるセクタに対応し得る。セル704において、アンテナグループ718、720、および722は、各々異なるセクタに対応する。セル706において、アンテナグループ724、726、および728は、各々異なるセクタに対応する。セル702、704、および706は、各セル702、704、または706の1つまたは複数のセクタと通信していてもよい、たとえば、図1の再選択マネージャ104を含む、いくつかのワイヤレス通信デバイス、たとえばユーザ機器すなわちUEを含み得る。たとえば、UE730および732は、NodeB742と通信していてもよく、UE734および736は、NodeB744と通信していてもよく、UE738および740は、NodeB746と通信していてもよい。ここで、各NodeB742、744、746は、それぞれのセル702、704、および706の中のすべてのUE730、732、734、736、738、740のために、アクセスポイントを提供するように構成される。加えて、各NodeB742、744、746、およびUE730、732、734、736、738、740は、図1のUE110であってもよく、本明細書で概説した方法を実行し得る。
【００４８】
UE734がセル704における図示された位置からセル706に移動するとき、サービングセル変更(SCC)またはハンドオーバが生じて、UE734との通信が、ソースセルと呼ばれ得るセル704からターゲットセルと呼ばれ得るセル706に移行することがある。UE734において、それぞれのセルに対応するNodeBにおいて、無線ネットワークコントローラ806(図8)において、またはワイヤレスネットワークにおける別の適切なノードにおいて、ハンドオーバプロシージャの管理が生じ得る。たとえば、ソースセル704との呼の間、または任意の他の時間において、UE734は、ソースセル704の様々なパラメータ、ならびに、セル706、および702のような近隣セルの様々なパラメータを監視することができる。さらに、これらのパラメータの品質に応じて、UE734は、近隣セルの1つまたは複数との通信を保つことができる。この期間において、UE734は、UE734が同時に接続されるセルのリストであるアクティブセットを保持することができる(すなわち、ダウンリンク専用物理チャネルDPCHまたはフラクショナルダウンリンク専用物理チャネルF-DPCHをUE734に現在割り当てているUTRAセルが、アクティブセットを構成し得る)。いずれの場合も、UE734は、本明細書で説明する再選択動作を実行するために、再選択マネージャ104を実行し得る。
【００４９】
さらに、アクセスネットワーク700によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA(登録商標))およびTD-SCDMAなどのCDMAの他の変形形態を用いるUniversal Terrestrial Radio Access(UTRA)、TDMAを用いるGlobal System for Mobile Communications(GSM(登録商標))、ならびにOFDMAを用いるEvolved UTRA(E-UTRA)、Ultra Mobile Broadband(UMB)、IEEE 902.11(Wi-Fi)、IEEE 902.16(WiMAX)、IEEE 902.20、およびFlash-OFDMであり得る。UTRA、E-UTRA、UMTS、LTE、LTE Advanced、およびGSM(登録商標)は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００５０】
図8は、NodeB810がUE850と通信しているブロック図であり、NodeB810は、基地局120、130、および/もしくは140のうちの1つまたは複数であってよく、かつ/またはパイロットポリューションメトリック識別要素160および/もしくはパイロットポリューション条件判断要素170および/もしくはICICコントローラ180(図1)を含むように構成され得るICICマネージャ150を含むことができる。ダウンリンク通信では、送信プロセッサ820は、データ源812からデータを受信し、コントローラ/プロセッサ840から制御信号を受信することができる。送信プロセッサ820は、参照信号(たとえばパイロット信号)とともに、データ信号および制御信号のための様々な信号処理機能を提供する。たとえば、送信プロセッサ820は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ820のための、符号化方式、変調方式、拡散方式および/またはスクランブリング方式を決定するために、チャネルプロセッサ844からのチャネル推定が、コントローラ/プロセッサ840によって使われ得る。これらのチャネル推定は、UE850によって送信される参照信号から、またはUE850からのフィードバックから、導出され得る。送信プロセッサ820によって生成されたシンボルは、フレーム構造を作成するために、送信フレームプロセッサ830に与えられる。送信フレームプロセッサ830は、コントローラ/プロセッサ840からの情報とシンボルとを多重化することによって、このフレーム構造を作成し、一連のフレームが得られる。次いでこのフレームは送信機832に与えられ、送信機832は、アンテナ834を通じたワイヤレス媒体によるダウンリンク送信のために、増幅、フィルタリング、およびフレームのキャリア上への変調を含む、様々な信号調整機能を提供する。アンテナ834は、たとえば、ビームステアリング双方向適応アンテナアレイまたは他の同様のビーム技術を含む、1つまたは複数のアンテナを含み得る。
【００５１】
UE850において、受信機854は、アンテナ852を通じてダウンリンク送信を受信し、その送信を処理してキャリア上へ変調されている情報を回復する。受信機854によって回復された情報は、受信フレームプロセッサ860に与えられ、受信フレームプロセッサ860は、各フレームを解析し、フレームからの情報をチャネルプロセッサ894に提供し、データ信号、制御信号、および参照信号を受信プロセッサ870に提供する。受信プロセッサ870は次いで、NodeB810中の送信プロセッサ820によって実行される処理の逆を実行する。より具体的には、受信プロセッサ870は、シンボルを逆スクランブルおよび逆拡散し、次いで変調方式に基づいて、NodeB810によって送信された、最も可能性の高い信号配列点を求める。これらの軟判定は、チャネルプロセッサ894によって計算されるチャネル推定に基づき得る。そして軟判定は、データ信号、制御信号、および参照信号を回復するために、復号されてデインターリーブされる。そして、フレームの復号が成功したかどうか判断するために、CRCコードが確認される。次いで、復号に成功したフレームによって搬送されるデータがデータシンク872に与えられ、データシンク872は、UE850および/または様々なユーザインターフェース(たとえばディスプレイ)において実行されているアプリケーションを表す。復号に成功したフレームが搬送する制御信号は、コントローラ/プロセッサ890に与えられる。受信プロセッサ870によるフレームの復号が失敗すると、コントローラ/プロセッサ890は、確認応答(ACK)プロトコルおよび/または否定応答(NACK)プロトコルを用いて、そうしたフレームの再送信要求をサポートすることもできる。
【００５２】
アップリンクでは、データ源878からのデータおよびコントローラ/プロセッサ890からの制御信号が、送信プロセッサ880に与えられる。データ源878は、UE850で実行されているアプリケーションおよび様々なユーザインターフェース(たとえばキーボード)を表し得る。NodeB810によるダウンリンク送信に関して説明する機能と同様に、送信プロセッサ880は、CRCコード、FECを支援するための符号化およびインターリービング、信号配列へのマッピング、OVSFによる拡散、および、一連のシンボルを生成するためのスクランブリングを含む、様々な信号処理機能を提供する。NodeB810によって送信される参照信号から、または、NodeB810によって送信されるミッドアンブル中に含まれるフィードバックから、チャネルプロセッサ894によって導出されるチャネル推定が、適切な符号化方式、変調方式、拡散方式、および/またはスクランブリング方式を選択するために、使われ得る。送信プロセッサ880によって生成されたシンボルは、フレーム構造を作成するために、送信フレームプロセッサ882に与えられる。送信フレームプロセッサ882は、コントローラ/プロセッサ890からの情報とシンボルとを多重化することによって、このフレーム構造を作成し、一連のフレームが得られる。次いでこのフレームは送信機856に与えられ、送信機856は、アンテナ852を通じたワイヤレス媒体によるアップリンク送信のために、増幅、フィルタリング、およびフレームのキャリア上への変調を含む、様々な信号調整機能を提供する。
【００５３】
アップリンク送信は、UE850において受信機機能に関して説明されたのと同様の方式で、NodeB810において処理される。受信機835は、アンテナ834を通じてアップリンク送信を受信し、その送信を処理してキャリア上へ変調されている情報を回復する。受信機835によって回復された情報は、受信フレームプロセッサ836に与えられ、受信フレームプロセッサ836は、各フレームを解析し、フレームからの情報をチャネルプロセッサ844に提供し、データ信号、制御信号、および参照信号を受信プロセッサ838に提供する。受信プロセッサ838は、UE850中の送信プロセッサ880によって実行される処理の逆を実行する。次いで、復号に成功したフレームによって搬送されるデータ信号および制御信号が、データシンク839およびコントローラ/プロセッサにそれぞれ与えられ得る。フレームの一部が、受信プロセッサによる復号に失敗すると、コントローラ/プロセッサ840は、確認応答(ACK)プロトコルおよび/または否定応答(NACK)プロトコルを用いて、そうしたフレームの再送信要求をサポートすることもできる。
【００５４】
コントローラ/プロセッサ840および890は、それぞれNodeB810およびUE850における動作を指示するために使われ得る。たとえば、コントローラ/プロセッサ840および890は、タイミング、周辺インターフェース、電圧調整、電力管理、および他の制御機能を含む、様々な機能を提供することができる。メモリ842および892のコンピュータ可読媒体は、それぞれ、NodeB810およびUE850のためのデータおよびソフトウェアを記憶することができる。NodeB810におけるスケジューラ/プロセッサ846は、リソースをUEに割り振り、UEのダウンリンク送信および/またはアップリンク送信をスケジューリングするために、使われ得る。
【００５５】
W-CDMA(登録商標)システムを参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。
【００５６】
例として、様々な態様は、他のUMTSシステム、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張され得る。実際の利用される電気通信規格、ネットワークアーキテクチャ、および/または通信規格は、具体的な用途およびシステム全体に課される設計制約に依存する。
【００５７】
本開示の様々な態様によれば、要素または要素の一部分または要素の組合せを、1つまたは複数のプロセッサを含む「処理システム」で実装できる。プロセッサの例として、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体上に存在し得る。コンピュータ可読媒体は、非一時的コンピュータ可読媒体であってよい。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。
【００５８】
また、コンピュータ可読媒体は、例として、搬送波、伝送路、ならびに、コンピュータがアクセスし読み取ることができるソフトウェアおよび/または命令を送信するための任意の他の適切な媒体も含み得る。コンピュータ可読媒体は、処理システムの中に存在してもよく、処理システムの外に存在してもよく、または処理システムを含む複数のエンティティに分散してもよい。コンピュータ可読媒体は、コンピュータプログラム製品として具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【００５９】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００６０】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。項目の列挙「のうちの少なくとも1つ」という語句は、単一の要素を含め、それらの項目の任意の組合せを意味する。たとえば、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明した様々な態様の要素と構造的かつ機能的に同等のものはすべて、参照により本明細書に明確に組み込まれ、請求項によって包含されることが意図される。また、本明細書で開示する内容は、そのような開示が請求項で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００６１】
100  ワイヤレスシステム、システム、ワイヤレスネットワーク、ワイヤレス通信システム
104  再選択マネージャ
110  ユーザ機器(UE)、端末
120  セル、サービングセル、基地局
122  実線
130  セル、基地局
132  破線
140  セル、基地局
142  破線
150  セル間干渉協調(ICIC)マネージャ
160  パイロットポリューションメトリック識別要素
170  パイロットポリューション条件判断要素
180  ICICコントローラ
181  ICICトリガ
182  ICIC機構セレクタ
200  方法
300  システム
302  論理グルーピング
304  電気的構成要素
306  電気的構成要素
308  電気的構成要素
310  メモリ
400  コンピュータデバイス
402  プロセッサ
404  メモリ
406  通信構成要素
408  データ記憶装置
410  ユーザインターフェース構成要素
500  装置
502  バス
504  プロセッサ
506  コンピュータ可読媒体
508  バスインターフェース
510  トランシーバ
512  ユーザインターフェース
514  処理システム
600  Long Term Evolution(LTE)ネットワークアーキテクチャ、発展型パケットシステム(EPS)
602  ユーザ機器(UE)
604  発展型UMTS Terrestrial Radio Access Network(E-UTRAN)
606  発展型NodeB(eNB)、
608  他のeNB
620  ホーム加入者サーバ(HSS)
622  事業者のIPサービス
660  発展型パケットコア(EPC)
662  モビリティ管理エンティティ(MME)
664  他のMME
666  サービングゲートウェイ
668  パケットデータネットワーク(PDN)ゲートウェイ
700  アクセスネットワーク
702  セル
704  セル
706  セル
712  アンテナグループ
714  アンテナグループ
716  アンテナグループ
718  アンテナグループ
720  アンテナグループ
722  アンテナグループ
724  アンテナグループ
726  アンテナグループ
728  アンテナグループ
730  UE
732  UE
734  UE
736  UE
738  UE
740  UE
742  NodeB
744  NodeB
746  NodeB
810  NodeB
812  データ源
820  送信プロセッサ
830  送信フレームプロセッサ
832  送信機
834  アンテナ
835  受信機
836  受信フレームプロセッサ
838  受信プロセッサ
839  データシンク
840  コントローラ/プロセッサ
842  メモリ
844  チャネルプロセッサ
846  スケジューラ/プロセッサ
850  UE
852  アンテナ
854  受信機
856  送信機
860  受信フレームプロセッサ
870  受信プロセッサ
872  データシンク
878  データ源
880  送信プロセッサ
882  送信フレームプロセッサ
890  コントローラ/プロセッサ
892  メモリ
894  チャネルプロセッサ
【図１】
2016509817.tif 000003
【図２】
2016509817.tif 000004
【図３】
2016509817.tif 000005
【図４】
2016509817.tif 000006
【図５】
2016509817.tif 000007
【図６】
2016509817.tif 000008
【図７】
2016509817.tif 000009
【図８】
2016509817.tif 000010
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
ワイヤレスネットワークにおけるセル間干渉協調(ICIC)機構をトリガする方法であって、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択されたパイロットポリューションメトリックを識別するステップと、
前記パイロットポリューションメトリックに少なくとも基づくパイロットポリューション条件が満たされたときを判断するステップと、
前記パイロットポリューション条件が満たされたときにICIC機構をトリガするステップと
を含む方法。
【請求項２】
前記ポリューションメトリックを識別するステップは、ユーザ機器(UE)またはセルにおいて実行される、請求項1に記載の方法。
【請求項３】
前記パイロットポリューション条件が満たされたときを判断するステップは、前記パイロットポリューションメトリックの値をしきい値と比較するステップを含む、請求項1に記載の方法。
【請求項４】
前記しきい値は、ネットワークレベル、クラスタレベルまたはセルレベルで設定される、請求項3に記載の方法。
【請求項５】
前記ICIC機構をトリガするステップは、集中的または分散的に実行される、請求項1に記載の方法。
【請求項６】
前記ICIC機構をトリガするステップは、周波数領域または時間領域で実行される、請求項1に記載の方法。
【請求項７】
前記周波数領域でトリガされる前記ICIC機構は、部分周波数再利用(FFR)またはソフトFFR手順を実行するステップを含む、請求項6に記載の方法。
【請求項８】
ネットワークにおけるセル間干渉協調(ICIC)機構をトリガするための装置であって、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択されたパイロットポリューションメトリックを識別するための手段と、
前記パイロットポリューションメトリックに少なくとも基づくパイロットポリューション条件が満たされたときを判断するための手段と、
前記パイロットポリューション条件が満たされたときにICIC機構をトリガするための手段と
を含む装置。
【請求項９】
前記ポリューションメトリックを識別するための前記手段は、ユーザ機器(UE)またはセルにおいて前記識別することを実行するための手段をさらに含む、請求項8に記載の装置。
【請求項１０】
前記パイロットポリューション条件が満たされたときを判断するための前記手段は、前記パイロットポリューションメトリックの値をしきい値と比較するための手段をさらに含む、請求項8に記載の装置。
【請求項１１】
比較するための前記手段は、ネットワークレベル、クラスタレベルまたはセルレベルで前記しきい値を設定するための手段をさらに含む、請求項10に記載の装置。
【請求項１２】
前記ICIC機構をトリガするための手段は、集中的または分散的にトリガするための手段をさらに含む、請求項8に記載の装置。
【請求項１３】
前記ICIC機構をトリガするための手段は、周波数領域または時間領域でトリガするための手段をさらに含む、請求項8に記載の装置。
【請求項１４】
前記周波数領域でトリガするための前記手段は、部分周波数再利用(FFR)またはソフトFFR手順を実行するための手段をさらに含む、請求項13に記載の装置。
【請求項１５】
ネットワークにおけるセル間干渉協調(ICIC)機構をトリガするためのコンピュータ実行可能コードを記憶している非一時的コンピュータ可読記録媒体であって、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択されたパイロットポリューションメトリックを識別するためのコードと、
前記パイロットポリューションメトリックに少なくとも基づくパイロットポリューション条件が満たされたときを判断するためのコードと、
前記パイロットポリューション条件が満たされたときにICIC機構をトリガするためのコードと
を備える非一時的コンピュータ可読記録媒体。
【請求項１６】
識別するための前記コードは、ユーザ機器(UE)またはセルにおいて前記ポリューションメトリックを識別するためのコードをさらに含む、請求項15に記載のコンピュータ可読記録媒体。
【請求項１７】
判断するための前記コードは、前記パイロットポリューションメトリックの値をしきい値と比較するためのコードをさらに含む、請求項15に記載のコンピュータ可読記録媒体。
【請求項１８】
比較するための前記コードは、ネットワークレベル、クラスタレベルまたはセルレベルで前記しきい値を設定するためのコードをさらに含む、請求項17に記載のコンピュータ可読記録媒体。
【請求項１９】
トリガするための前記コードは、集中的または分散的にトリガするためのコードをさらに含む、請求項15に記載のコンピュータ可読記録媒体。
【請求項２０】
トリガするための前記コードは、周波数領域または時間領域でトリガするためのコードをさらに含む、請求項15に記載のコンピュータ可読記録媒体。
【請求項２１】
前記周波数領域でトリガするための前記コードは、部分周波数再利用(FFR)またはソフトFFR手順を実行するためのコードをさらに含む、請求項20に記載のコンピュータ可読記録媒体。
【請求項２２】
セル間干渉協調(ICIC)機構をトリガするための装置であって、
サービングセルパイロットまたは共通基準信号(CRS)電力レベルの所定の範囲内にあるパイロットまたはCRSの数、
基準信号受信電力(RSRP)測定値と基準信号受信品質(RSRQ)測定値との組合せ、
RSRP測定値と干渉(Io)測定値との組合せ、および
RSRQ測定値とIo測定値との組合せ
を含むリストから選択されたパイロットポリューションメトリックを識別するためのパイロットポリューションメトリック識別要素と、
前記パイロットポリューションメトリックに少なくとも基づくパイロットポリューション条件が満たされたときを判断するためのパイロットポリューション条件判断要素と、
前記パイロットポリューション条件が満たされたときにICIC機構をトリガするためのICICトリガと
を含む装置。
【請求項２３】
前記パイロットポリューションメトリック識別要素は、ユーザ機器(UE)またはセルにおいて前記パイロットポリューションメトリックを識別するようにさらに構成される、請求項22に記載の装置。
【請求項２４】
前記パイロットポリューション条件判断要素は、前記パイロットポリューションメトリックの値をしきい値と比較するようにさらに構成される、請求項22に記載の装置。
【請求項２５】
前記パイロットポリューション条件判断要素は、ネットワークレベル、クラスタレベルまたはセルレベルで前記しきい値を設定するようにさらに構成される、請求項24に記載の装置。
【請求項２６】
ICICトリガは、集中的または分散的に前記ICIC機構をトリガするようにさらに構成される、請求項22に記載の装置。
【請求項２７】
ICICトリガは、周波数領域または時間領域で前記ICIC機構をトリガするようにさらに構成される、請求項22に記載の装置。
【請求項２８】
前記周波数領域で前記ICIC機構をトリガするように構成された前記ICICトリガは、部分周波数再利用(FFR)またはソフトFFR手順を実行するようにさらに構成される、請求項27に記載の装置。
【国際調査報告】
2016509817.tif 000011
2016509817.tif 000012
2016509817.tif 000013